(57)【要約】【課題】沈殿汚泥を舞い上げることなく確実に沈殿汚泥を掻き寄せできるとともに、同一の駆動装置でスカム掻寄機を往復運動させて水面に浮遊するスカムも同時に掻き寄せ、排出することができるようにしたスカム掻寄機能付汚泥掻寄機を提供すること。【解決手段】汚水処理槽１の槽底１１に沿って往復移動させて、槽底１１に沈殿した汚泥を汚泥ピットＰ側に掻き寄せるようにした汚泥掻寄装置２と、この汚泥掻寄装置２より上方の水面位置に配設したスカム掻寄機３の往復運動とを同一のピンラック式駆動装置４にて駆動するように構成する。【選択図】図２
2006061876.tif 000002
【特許請求の範囲】
【請求項１】
汚水処理槽の槽底に沿って往復移動させて、該槽底に沈殿した汚泥を汚泥ピット側に掻き寄せるようにした汚泥掻寄装置と、該汚泥掻寄装置より上方の水面位置に配設したスカム掻寄機の往復運動とを同一のピンラック式駆動装置にて駆動するように構成したことを特徴とするスカム掻寄機能付汚泥掻寄機。
【請求項２】
ピンラック式駆動装置を、水平方向に配設したピンラックに噛合してピンホイールがその外周を周回するようにし、かつ該ピンホイールにスカム掻寄機を吊垂支持し、ピンホイールの周回運動にて往復運動をするように構成したことを特徴とする請求項１記載のスカム掻寄機能付汚泥掻寄機。
【請求項３】
汚泥掻寄用スクレーパを備えた汚泥掻寄装置を、ピンラックに噛合して周回運動をするピンホイールに支持したスカム掻寄機吊垂支持用のポールに、周回運動するピンホイールの上下運動を吸収し、往復運動のみを行うようにして支持した汚泥掻寄装置吊垂支持用のポールに支持するように構成したことを特徴とする請求項１又は２記載のスカム掻寄機能付汚泥掻寄機。
【発明の詳細な説明】
【技術分野】
【０００１】
本発明は、スカム掻寄機能付汚泥掻寄機に関し、特に、汚水処理槽の槽底に沿って往復移動させて、該槽底に沈殿した汚泥を汚水処理槽の端部位置に配設した汚泥ピット側に掻き寄せるようにした汚泥掻寄機において、汚泥掻寄機の駆動をピンラック駆動方式とし、かつ該駆動にて同時にスカム掻寄機を往復運動するようにして水面に浮遊するスカムを、スカムスキマ側に掻き寄せるようにしたスカム掻寄機能付汚泥掻寄機に関するものである。
【背景技術】
【０００２】
従来、汚泥掻寄機（沈砂を対象とする沈砂掻寄機、除塵機を含み、本明細書において、単に、「汚泥掻寄機」という。）は、原水を流入するようにした汚水処理槽１の槽底１１に沈降した汚泥を掻き集めて汚泥ピットＰ内に一時貯留し、排泥管５を経て外部に排出し、水面に浮遊するスカムはスカムスキマ６にて排出するように構成された、例えば、図４〜図６に示す構成の汚泥掻寄機が汎用されている。
【０００３】
図４に示す実施例は、槽底１１に汚泥掻寄用スクレーパ２２を沿うようした沈砂掻寄機２を、水面のフレームＦ上に配設したピンラック式駆動装置Ｂによりポスト２３を介して吊垂支持し、かつ槽底１１に沿って往復移動させることで、沈殿汚泥Ｄを掻き寄せるように構成されている。
また、図５に示す実施例は、モータに直結とした回転円板Ｒに複数本のリンクを組み合わせたリンク機構Ｌより構成する駆動装置にて槽底１１に沿って汚泥掻寄用スクレーパ２２を往復移動させ、沈殿汚泥Ｄを掻き寄せるように構成されている。
また、図６に示す実施例は、槽底１１に沿って汚泥掻寄用スクレーパ２２を油圧シリンダＳを用いた駆動装置にて直接往復移動させて沈殿汚泥Ｄを掻き寄せるように構成されている。
【０００４】
しかしながら、汎用されている汚泥掻寄機は、いずれも槽底に沈殿した汚泥のみを掻き寄せ排出し、スカム排出機能を有しないため、水面に浮遊するスカムの排出は、汚水の流れなど似て自然にスカムスキマに流入するのをまって行うか、または別途スカム排出機構、例えば、スカム掻寄機を設置し、汚泥掻寄機とは別個の駆動装置にて駆動するようにしている。このため、自然排出ではスカムの排出の効率が悪く、また別途スカム掻寄機を配設する場合、スカム掻寄機を要し、設備が複雑になるとともに、その配線などの電気設備を必要とするという問題があった。
【発明の開示】
【発明が解決しようとする課題】
【０００５】
本発明は、上記従来の汚泥掻寄機の有する問題点に鑑み、沈殿汚泥を舞い上げることなく確実に沈殿汚泥を掻き寄せできるとともに、同一の駆動装置でスカム掻寄機を往復運動させて水面に浮遊するスカムも同時に掻き寄せ、排出することができるようにしたスカム掻寄機能付汚泥掻寄機を提供することを目的とする。
【課題を解決するための手段】
【０００６】
上記目的を達成するため、本発明のスカム掻寄機能付汚泥掻寄機は、汚水処理槽の槽底に沿って往復移動させて、該槽底に沈殿した汚泥を汚泥ピット側に掻き寄せるようにした汚泥掻寄装置と、該汚泥掻寄装置より上方の水面位置に配設したスカム掻寄機の往復運動とを同一のピンラック式駆動装置にて駆動するように構成したことを特徴とする。
【０００７】
この場合において、ピンラック式駆動装置を、水平方向に配設したピンラックに噛合してピンホイールがその外周を周回するようにし、かつ該ピンホイールにスカム掻寄機を吊垂支持し、ピンホイールの周回運動にて往復運動をするように構成することができる。
【０００８】
また、汚泥掻寄用スクレーパを備えた汚泥掻寄装置を、ピンラックに噛合して周回運動をするピンホイールに支持したスカム掻寄機吊垂支持用のポールに、周回運動するピンホイールの上下運動を吸収し、往復運動のみを行うようにして支持した汚泥掻寄装置吊垂支持用のポールにて支持するように構成することができる。
【発明の効果】
【０００９】
本発明のスカム掻寄機能付汚泥掻寄機によれば、汚水処理槽の槽底に沿って往復移動させて、該槽底に沈殿した汚泥を汚泥ピット側に掻き寄せるようにした汚泥掻寄装置と、該汚泥掻寄装置より上方の水面位置に配設したスカム掻寄機の往復運動とを同一のピンラック式駆動装置にて駆動するように構成しているから、同一の駆動装置にて同時に汚泥掻寄装置とスカム掻寄機とを駆動でき、かつ汚泥掻寄装置の汚泥掻寄装置を槽底に沿って常に一定速度で往復移動させることができるので沈殿汚泥を舞い上げることなく汚泥の掻き寄せを効率的に行うことができ、さらには、スカム掻寄機は水面位置にて往復運動することで水面に浮遊するスカムも同時に掻き寄せることができ、構成、特に駆動系を簡易に構成することができ、信頼性を向上することができる。
【００１０】
また、ピンラック式駆動装置を、水平方向に配設したピンラックに噛合してピンホイールがその外周を周回するようにし、かつ該ピンホイールにスカム掻寄機を吊垂支持し、ピンホイールの周回運動にて往復運動をするように構成しているから、汚泥掻寄機を駆動することで水面位置でスカム掻寄機を駆動することにより水面に浮遊するスカムをスカムスキマ側へ掻き寄せ、またスカム掻寄機の復帰時は水面下で移動するため、水面に浮遊するスカムを掻き寄せないので、浮遊スカムの掻き寄せが確実に行うことができる。
【００１１】
また、汚泥掻寄用スクレーパを備えた汚泥掻寄装置を、ピンラックに噛合して周回運動をするピンホイールに支持したスカム掻寄機吊垂支持用のポールに、周回運動するピンホイールの上下運動を吸収し、往復運動のみを行うようにして支持した汚泥掻寄装置吊垂支持用のポールに支持するように構成しているから、ピンラック式駆動装置の駆動によりスカム掻寄機が往復運動をしても汚泥掻寄装置は槽底に沿って往復移動するので槽底に沈殿した汚泥の掻き寄せが確実に行うことができる。
【発明を実施するための最良の形態】
【００１２】
以下、本発明のスカム掻寄機能付汚泥掻寄機の実施の形態を、図１〜図３の図面による実施例に基づいて説明する。
【実施例１】
【００１３】
図１〜図３に、本発明のスカム掻寄機能付汚泥掻寄機の一実施例を示す。
本発明のスカム掻寄機能付汚泥掻寄機Ａは、汚泥沈殿池、沈砂池等の汚水処理槽１に設置する。この汚水処理槽１は、特に限定されるものではないが、例えば、図１に示すように、その一端側から整流板等を経て原水（汚水）が矢符のように導入されるとともに、この汚水供給側の底部に汚泥ピットＰを備え、さらに、この汚水処理槽１内には、槽底１１に沈降した汚泥を、掻き寄せ、汚泥ピットＰに集泥するようにした汚泥掻寄用スクレーパ２２を有する汚泥掻寄装置２を配置し、これによりこの汚泥ピットＰ内に集泥された汚泥Ｄを、汚泥ピットＰに備えた汚泥引抜管５にて汚水処理槽１外に引き抜き、排出するようにするとともに、水面に浮遊するスカムを、反汚泥掻寄時にスカム掻寄機によりスカムスキマ側に同時に掻き寄せ排出できるようにしている。
この汚水処理槽１の槽底１１は、特に限定されるものではないが、好ましくは、槽底１１に沈降した汚泥Ｄが掻き寄せ時に汚泥ピットＰに流入し易いように、汚泥ピットＰ側槽底が低くなるように傾斜して形成するようにする。
【００１４】
また、汚水処理槽１には、汚水処理槽１に導入された汚水に含まれるスカム分が分離して浮遊する位置、これは特に限定されるものではないが、例えば、汚水処理槽１のほぼ中央付近或いは中央部より後流側の水面にスカムスキマ６を配設して、水面に浮遊するスカムをスカム掻寄機３にてスカムスキマ６に掻き寄せ、汚水処理槽１外に排出するようにし、これにより流入する原水から固形分である汚泥分のみを沈降分離し、かつスカムを除去した処理後の汚水を汚水処理槽１外に排水するように構成する。
【００１５】
このスカム掻寄機能付汚泥掻寄機Ａは、図１、図２に示すように、汚水処理槽１の槽底１１に沈降した汚泥Ｄを汚泥掻寄用スクレーパ２２にて掻き寄せるようした汚泥掻寄装置２と、水面下に浮遊するスカムを掻き寄せるようにしたスカム掻寄機３と、汚水処理槽１の上側等の汚水処理槽外に配設したピンラック式駆動装置４とより構成し、この１台のピンラック式駆動装置４より汚泥掻寄装置２を槽底に沿って往復移動させ、かつ同時にスカム掻寄機３を水面位置と水面下とで往復運動と上下運動とを組み合わせた往復運動するようにする。
【００１６】
また、このピンラック式駆動装置４は、水平方向に配設したピンラック４１と、このピンラック４１に噛合してピンラック４１の外周を周回するようにして水平方向に移動するピンホイール４２とより構成し、これによりスカム掻寄機３が水面位置と水面下とで上下高さＨを有するようにして往復運動するようにする。なお、このピンホイール４２は、モータなどの原動機４３にて定速或いは可変速的に駆動される。
【００１７】
ピンラック４１に沿って周回運動をするピンホイール４２にはスカム掻寄機吊垂支持用のポール３１を垂設し、このスカム掻寄機吊垂支持用ポール３１に、かつ水面と平行する方向にスカム掻寄ロッド３２を配設し、該スカム掻寄ロッド３２に所定間隔に多数のスカム掻寄フライト３３，３３を配設してスカム掻寄機３を構成する。
【００１８】
汚泥掻寄装置２は、筒状のスカム掻寄機吊垂支持用ポール３１内に嵌挿して汚泥掻寄用ポール２３を配設し、この汚泥掻寄用ポール２３の下端に、槽底に沿うよう配設された汚泥掻寄フレーム２１を固定し、この汚泥掻寄フレーム２１に複数の汚泥掻寄用スクレーパ２２，２２を、所定の間隔で複数配設して構成する。これにより、全汚泥掻寄用スクレーパ２２が同時に１ストローク往復移動することにより槽底に沈殿する汚泥Ｄを汚泥ピットＰ側に掻き寄せるようにする。
なお、ピンホイール４２がピンラック４１の外周を周回移動する際、ピンホイール４２の１周回を汚泥掻寄用スクレーパ２２が往復移動する１ストローク長とし、この場合、ピンラック４１の移動距離を、汚泥掻寄用スクレーパ２２の間隔ピッチよりも大となるように設定する。これにより、ピンホイール４２の１周回にて汚泥掻寄用スクレーパ２２を１ストローク往復移動させて確実に槽底に沈殿した汚泥Ｄを汚泥ピットＰ側に掻き寄せ移動させるようにする。
また、この場合、スカム掻寄機吊垂支持用ポール３１に対してスカム掻寄ロッド３２を、また汚泥掻寄用ポール２３に対して汚泥掻寄フレーム２１をそれぞれ水平に保持できるよう、必要に応じて図示のようにステー３４，２４を配設する。
【００１９】
また、ピンラック式駆動装置４のピンホイール４２が周回移動することで、該ピンホイール４２に垂設したスカム掻寄機３が往復運動する際、汚泥掻寄装置２は常に槽底に沿って往復方向にのみ移動するようにするため、スカム掻寄機吊垂支持用ポール３１内に嵌挿した汚泥掻寄用ポール２３を、スカム掻寄機吊垂支持用ポール３１に対して出没させ、スカム掻寄機３の往復運動を吸収するようにする。
これは、特に限定されるものではないが、例えば、図２に示すように、いずれか一方のポストに長孔状のガイド孔を、他方のポストに該ガイド孔に貫通するようにしてピンを植設して構成する。図示の実施例では、スカム掻寄機吊垂支持用ポール３１にガイド孔３５を、汚泥掻寄用ポール２３にピン２５を植設している。このガイド孔３５の長さは、スカム掻寄機吊垂支持用ポール３１が往復運動をする際、その上下方向の動きを汚泥掻寄用ポール２１にて吸収するようにして定め、これにより常に汚泥掻寄フレーム２１及び汚泥掻寄用スクレーパ２２が槽底に沿って水平方向に往復運動をするようにする。
【００２０】
次に、このスカム掻寄機能付汚泥掻寄機の作用について説明する。
汚水処理槽１内に整流板等を経て流入した原水中の汚泥等の固形分は、槽底１１に沈殿する。この槽底１１に沈降した汚泥を汚泥ピットＰ内に集泥するには、ピンラック式駆動装置４を駆動する。
【００２１】
これにより、ピンラック４１に噛合したピンホイール４２は、ピンラック４１の外周を周回する際、このピンホイール４２の周回運動にて、該ピンホイール４２に吊垂支持されたスカム掻寄機吊垂支持用ポール３１は上下方向と水平方向を組み合わせた往復運動を行う。これによりスカム掻寄機吊垂支持用ポール３１に支持されたスカム掻寄機３が水面位置で移動する際、水面に浮遊するスカムをスカムスキマ側に掻き寄せ、また反対に復帰する際には水面下に潜って、水面に浮遊するスカムを掻き寄せないように往復運動をする。これと同時にスカム掻寄機３の往復運動をピン２５及びガイド孔３５にて吸収して汚泥掻寄機２を槽底に沿って水平方向にのみ移動する。
この場合、ピンホイール４２の周回運動にて移動する距離は、ピンラック４１の全長となるが、このピンホイール４２の移動距離は、汚泥掻寄フレーム２１に配設した汚泥掻寄用スクレーパ２２の間隔ピッチよりも大になるよう設定されているため、ピンホイール４２の１周回にて汚泥掻寄用スクレーパ２２を１ストローク往復移動させる場合、未掻寄部分のないようにして槽底に沈殿した汚泥Ｄを確実に１ストロークづつ掻き寄せることができるようになる。
このようにしてピンホイール４２の回転数を一定とした場合、槽底に沿って移動する汚泥掻寄用スクレーパ２２を常に一定速度で移動させることができるので、沈殿汚泥を舞い上げることなく汚泥の掻き寄せを効率的に行うことができ、さらには装置のコストダウンを図り、かつ信頼性を向上することができる。
【００２２】
以上、本発明のスカム掻寄機能付汚泥掻寄機について、実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のスカム掻寄機能付汚泥掻寄機は、汚水処理槽の槽底に沈殿した汚泥を、往復運動をする汚泥掻寄スクレーパにて、また水面に浮遊するスカムをスカム掻寄機にてそれぞれ１ピッチずつ確実に掻き寄せるという特性を有していることから、汚水処理槽のスカム掻寄機能付汚泥掻寄機の用途に好適に用いることができるほか、例えば、複数列に整列した物品を、同時に１ピッチずつ搬送する搬送機や移動装置の用途にも用いることができる。
【図面の簡単な説明】
【００２４】
【図１】本発明のスカム掻寄機能付汚泥掻寄機の一実施例を示す正面縦断面図である。
【図２】同要部の拡大説明図である。
【図３】ピンラック式駆動装置の拡大説明図である。
【図４】従来の汚泥掻寄機の実施例を示す説明図である。
【図５】従来の円板式駆動装置を用いた汚泥掻寄機の説明図である。
【図６】従来のシリンダ式駆動装置を用いた汚泥掻寄機の説明図である。
【符号の説明】
【００２５】
Ａ    スカム掻寄機能付汚泥掻寄機
Ｐ    汚泥ピット
１    汚水処理槽
１１  槽底
２    汚泥掻寄装置
２１  汚泥掻寄フレーム
２２  汚泥掻寄用スクレーパ
２３  汚泥掻寄用ポール
２４  ステー
２５  ピン
３    スカム掻寄機
３１  スカム掻寄機吊垂支持用ポール
３２  スカム掻寄ロッド
３３  スカム掻寄フライト
３４  ステー
３５  ガイド孔
４    ピンラック式駆動装置
４１  ピンラック
４２  ピンホイール
５    汚泥引抜管
６    スカムスキマ
【図１】
2006061876.tif 000003
【図２】
2006061876.tif 000004
【図３】
2006061876.tif 000005
【図４】
2006061876.tif 000006
【図５】
2006061876.tif 000007
【図６】
2006061876.tif 000008